(57)【要約】【課題】インク等を収容する液体容器の姿勢が反転されて装着された場合でも、正しい液体量を把握することのできる技術を提供する。【解決手段】液体容器は、液体を収容する液体収容部と、液体収容部を囲む周囲壁と、周囲壁に設けられ、液体収容部から液体導入部に液体を供給可能な液体供給口と、ホルダー側端子に、第１接触部を介して電気的に接続可能な第１記憶装置と、ホルダー側端子に、第２接触部を介して電気的に接続可能な第２記憶装置と、を備える。第１接触部と第２接触部とは、液体供給口の中心軸を挟んで互いに対称となる位置に周囲壁に設けられ、液体容器を、中心軸を中心に１８０°回転させてホルダーに装着しても、第１接触部または第２接触部のいずれかがホルダー側端子と接続され、液体の量に関する情報が、第１記憶装置と第２記憶装置とのそれぞれに記憶される。【選択図】図５
2020151894.tif 000002
【特許請求の範囲】
【請求項１】
ホルダーと、液体導入部と、ホルダー側端子と、を備える液体噴射装置の前記ホルダーに着脱可能に装着される液体容器であって、
液体を収容する液体収容部と、
前記液体収容部を囲む周囲壁と、
前記周囲壁に設けられ、前記液体収容部から前記液体導入部に前記液体を供給可能な液体供給口と、
前記ホルダー側端子に、第１接触部を介して電気的に接続可能な第１記憶装置と、
前記ホルダー側端子に、第２接触部を介して電気的に接続可能な第２記憶装置と、
を備え、
前記第１接触部と前記第２接触部とは、前記液体供給口の中心軸を挟んで互いに対称となる位置に前記周囲壁に設けられ、
前記液体容器を、前記中心軸を中心に１８０°回転させて前記ホルダーに装着しても、前記第１接触部または前記第２接触部のいずれかが前記ホルダー側端子と接続され、
前記液体の量に関する情報が、前記第１記憶装置と前記第２記憶装置とのそれぞれに記憶される、液体容器。
【請求項２】
請求項１に記載の液体容器であって、
前記中心軸は、前記液体容器が前記ホルダーに装着された状態で、水平面に沿う方向に延びる、液体容器。
【請求項３】
請求項１または請求項２に記載の液体容器であって、
前記第１記憶装置は、前記第１記憶装置が前記ホルダー側端子に接続されてからの液体消費量の合計値である第１合計値を記憶する第１記憶領域と、前記第２記憶装置が前記ホルダー側端子に接続されてからの液体消費量の合計値である第２合計値を記憶する第２記憶領域と、を含み、
前記第２記憶装置は、前記第１合計値を記憶する第３記憶領域と、前記第２合計値を記憶する第４記憶領域と、を含む液体容器。
【請求項４】
請求項３に記載の液体容器であって、
前記第１記憶装置が前記ホルダー側端子に接続された状態で前記第１記憶領域に前記第１合計値が記憶された後、前記回転により前記第２記憶装置が前記ホルダー側端子に接続されると、前記第１合計値は前記第２記憶装置の前記第３記憶領域に記憶され、
前記第２記憶装置が前記ホルダー側端子に接続された状態で前記第４記憶領域に前記第２合計値が記憶された後、前記回転により前記第１記憶装置が前記ホルダー側端子に接続されると、前記第２合計値は前記第１記憶装置の前記第２記憶領域に記憶される、液体容器。
【請求項５】
請求項３または請求項４に記載の液体容器であって、
前記第１合計値と前記第２合計値とは、前記液体噴射装置によってそれぞれ計算され、前記ホルダー側端子を通じて前記第１記憶装置および前記第２記憶装置に書き込まれる、液体容器。
【請求項６】
請求項１から請求項５のいずれか一項に記載の液体容器であって、
前記第１記憶装置は、前記第１記憶装置を識別するための第１識別情報を記憶し、
前記第２記憶装置は、前記第２記憶装置を識別するための第２識別情報を記憶する、液体容器。
【請求項７】
請求項１から請求項６までのいずれか一項に記載の液体容器であって、
前記第１記憶装置および前記第２記憶装置は、それぞれ、前記液体容器に固有の固有情報を記憶する、液体容器。
【請求項８】
液体噴射システムであって、
液体噴射ヘッドと、
前記液体噴射ヘッドに液体を供給する、請求項１から請求項７のいずれか一項に記載の液体容器と、を備える液体噴射システム。
【発明の詳細な説明】
【技術分野】
【０００１】
本開示は、液体容器および液体噴射システムに関する。
【背景技術】
【０００２】
液体容器に関し、例えば、特許文献１には、インクカートリッジがプリンターのキャリッジに装着されてから一定時間経過すると、インクカートリッジの反転装着が行われるシステムが開示されている。
【先行技術文献】
【特許文献】
【０００３】
【特許文献１】特開２００５−２６２８２３号公報
【発明の概要】
【発明が解決しようとする課題】
【０００４】
しかし、特許文献１に記載された技術では、反転装着されるインクカートリッジ内のインク量の管理について十分に検討されていない。そのため、インク等を収容する液体容器の姿勢が反転されて装着された場合でも、正しい液体量を把握することのできる技術が求められている。
【課題を解決するための手段】
【０００５】
本開示の一形態によれば、ホルダーと、液体導入部と、ホルダー側端子と、を備える液体噴射装置の前記ホルダーに着脱可能に装着される液体容器が提供される。この液体容器は、液体を収容する液体収容部と、前記液体収容部を囲む周囲壁と、前記周囲壁に設けられ、前記液体収容部から前記液体導入部に前記液体を供給可能な液体供給口と、前記ホルダー側端子に、第１接触部を介して電気的に接続可能な第１記憶装置と、前記ホルダー側端子に、第２接触部を介して電気的に接続可能な第２記憶装置と、を備え、前記第１接触部と前記第２接触部とは、前記液体供給口の中心軸を挟んで互いに対称となる位置に前記周囲壁に設けられ、前記液体容器を、前記中心軸を中心に１８０°回転させて前記ホルダーに装着しても、前記第１接触部または前記第２接触部のいずれかが前記ホルダー側端子と接続され、前記液体の量に関する情報が、前記第１記憶装置と前記第２記憶装置とのそれぞれに記憶されることを特徴とする。
【図面の簡単な説明】
【０００６】
【図１】液体噴射システムの概略構成図である。
【図２】ホルダーの第１の外観斜視図である。
【図３】ホルダーの第２の外観斜視図である。
【図４】カートリッジの斜視図である。
【図５】カートリッジの側面図である。
【図６】第１記憶装置と第２記憶装置の記憶内容を示す説明図である。
【図７】本体メモリーの記憶内容を示す説明図である。
【図８】第１記憶装置および第２記憶装置の記憶内容の遷移を示す図である。
【図９】カートリッジ確認処理のフローチャートである。
【図１０】インク消費量更新処理のフローチャートである。
【図１１】基板の配置の他の例を示す図である。
【図１２】基板の配置の他の例を示す図である。
【図１３】基板の配置の他の例を示す図である。
【図１４】基板の配置の他の例を示す図である。
【図１５】基板の配置の他の例を示す図である。
【図１６】基板の配置の他の例を示す図である。
【発明を実施するための形態】
【０００７】
Ａ．第１実施形態：
図１は本開示の第１実施形態としての液体噴射システム１０の概略構成図である。図１には、互いに直交する３つの空間軸であるＸＹＺ軸が描かれている。Ｘ軸，Ｙ軸，Ｚ軸の矢印が向いている方向は、それぞれＸ軸，Ｙ軸，Ｚ軸に沿った正の方向を示している。Ｘ軸，Ｙ軸，Ｚ軸に沿った正の方向を、それぞれ＋Ｘ方向，＋Ｙ方向，＋Ｚ方向とする。Ｘ軸，Ｙ軸，Ｚ軸の矢印が向いている方向と逆の方向が、それぞれＸ軸，Ｙ軸，Ｚ軸に沿った負の方向である。Ｘ軸，Ｙ軸，Ｚ軸に沿った負の方向を、それぞれ−Ｘ方向，−Ｙ方向，−Ｚ方向とする。Ｘ軸，Ｙ軸，Ｚ軸に沿った方向で正負を問わないものを、それぞれＸ方向，Ｙ方向，Ｚ方向とよぶ。これ以降に示す図及び説明についても同様である。他の図に描かれたＸＹＺ軸は、図１のＸＹＺ軸に方向が対応している。本実施形態において、Ｚ軸は、重力方向または鉛直方向に沿った軸であり、−Ｚ方向は、重力方向または鉛直方向である。
【０００８】
液体噴射システム１０は、液体噴射装置としてのプリンター２０と、液体容器としての４つのカートリッジ４Ｃ，４Ｍ、４Ｙ、４Ｋとを備える。プリンター２０は、液体としてのインクを液体噴射ヘッドとしての記録ヘッド２２５から噴射するインクジェットプリンターである。ここで、４つのカートリッジ４Ｃ，４Ｍ、４Ｙ、４Ｋを区別することなく用いる場合には符号「４」を用いる。液体噴射システム１０およびプリンター２０の使用状態では、＋Ｚ方向が鉛直方向において上となり、−Ｚ方向が鉛直方向において下となる。液体噴射システム１０およびプリンター２０の使用状態とは、Ｘ方向とＹ方向とによって規定される水平な設置面に液体噴射システム１０が設置された状態をさす。
【０００９】
プリンター２０は、略矩形箱状の本体ケース２１２と、本体ケース２１２内に配置された制御部２３０と、を備える。制御部２３０は、ＣＰＵやＲＡＭ、不揮発性メモリーを備えるコンピューターとして構成されている。制御部２３０に備えられた不揮発性メモリーのことを、以下では、本体メモリー２３２という。制御部２３０は、プリンター２０の印刷動作などの各種動作の制御を行ったり、カートリッジ４との間で各種信号をやり取りしたりする。また、制御部２３０は、記録ヘッド２２５から噴射したインク滴の数と、１滴あたりのインク重量とに基づき、インクの消費量を算出し、カートリッジ４毎のインク消費量を管理する機能を備えている。
【００１０】
本体ケース２１２内には、プラテン２１３が本体ケース２１２の長手方向であるＸ方向に沿うように配設されている。プラテン２１３は、噴射対象物としての記録用紙Ｐを支持する支持台である。プラテン２１３上には、図示しない紙送り機構により記録用紙Ｐが、主走査方向と直交する副走査方向に沿って給紙されるようになっている。本実施形態において、主走査方向はＸ方向であり、副走査方向はＹ方向である。
【００１１】
プリンター２０は、さらに、ガイド軸２１４と、キャリッジ２１５と、駆動プーリー２１６と、従動プーリー２１７と、キャリッジモーター２１８とを備える。
【００１２】
ガイド軸２１４は、プラテン２１３よりも＋Ｚ方向側に位置する。ガイド軸２１４は、主走査方向に沿った棒状の部材である。ガイド軸２１４にはキャリッジ２１５がガイド軸２１４に沿って移動自在に支持されている。
【００１３】
駆動プーリー２１６及び従動プーリー２１７は、ガイド軸２１４よりも−Ｙ方向側の、ガイド軸２１４の両端部に対応する位置に回転自在に配置されている。駆動プーリー２１６にはキャリッジモーター２１８が連結されている。駆動プーリー２１６と従動プーリー２１７との間にはキャリッジ２１５を支持した無端状のタイミングベルト２１９が掛け渡されている。したがって、キャリッジ２１５は、キャリッジモーター２１８の駆動により、ガイド軸２１４に沿って主走査方向に往復移動可能となっている。なお、本実施形態では、記録ヘッド２２５は主走査方向に往復移動可能なように構成されているが、これに限定されるものではない。例えば、記録ヘッド２２５は、Ｘ方向に沿って延び、位置が固定されたラインヘッドであっても良い。
【００１４】
プリンター２０は、さらに、カートリッジ４を着脱自在に装着するためのホルダー６を備える。ホルダー６のことをカートリッジ装着部ともいう。ホルダー６は、本体ケース２１２の内側に配置されている。本体ケース２１２の一部分は開閉可能に構成されている。この開閉可能な一部分を開くことによってホルダー６に対するカートリッジ４の着脱操作が可能となる。なお、本実施形態では、ホルダー６は、本体ケース２１２の内側に配置されているがこれに限定されるものではない。例えば、ホルダー６は、その全部または一部が本体ケース２１２の外側に配置されていても良い。
【００１５】
ホルダー６には、４つのカートリッジ４Ｃ，４Ｍ，４Ｋ，４Ｙが着脱可能に装着される。カートリッジ４Ｋは、ブラックのインクを収容する。カートリッジ４Ｃは、シアンのインクを収容する。カートリッジ４Ｍは、マゼンタのインクを収容する。カートリッジ４Ｙは、イエローのインクを収容する。各インクは、水などの分散媒と、顔料粒子と、を含む顔料インクである。４つのカートリッジ４Ｃ，４Ｍ，４Ｙ，４Ｋに対応して、プリンター２０は４つの液体流通路２２３を備える。液体流通路２２３は、チューブである。液体流通路２２３は、カートリッジ４と記録ヘッド２２５とを連通させる。なお、インクの種類は顔料インクに限定されない。例えば、カートリッジ４は、染料インクを収容していてもよい。
【００１６】
カートリッジ４は、ホルダー６に装着された場合、それぞれ対応する各液体流通路２２３の上流端に接続される。各液体流通路２２３の下流端は、キャリッジ２１５上に搭載されたバルブユニット２２４の上流側とそれぞれ接続される。バルブユニット２２４の下流側は、キャリッジ２１５の下面側に設けられた記録ヘッド２２５に接続されている。すなわち、カートリッジ４に収容されたインクは、液体流通路２２３を通って記録ヘッド２２５に供給される。
【００１７】
ホルダー６とプラテン２１３との間には、記録ヘッド２２５の退避位置となるホームポジションＨＰが設けられている。そして、印刷の開始前などには、このホームポジションＨＰにおいて、記録ヘッド２２５に対するクリーニング等、各種メンテナンス処理が実行される。
【００１８】
図２は、ホルダー６の第１の外観斜視図である。図３は、ホルダー６の第２の外観斜視図である。図３は、ホルダー６の内部の構成が視認できるように、一部の構成の図示が省略されている。カートリッジ４のホルダー６への装着方向は−Ｙ方向である。カートリッジ４が、ホルダー６から取り外される方向は＋Ｙ方向である。
【００１９】
図２に示すように、ホルダー６は、以下に述べる５つの壁部によってカートリッジ４を収容するカートリッジ収容室６１を形成する。カートリッジ収容室６１は、略直方体形状である。なお、カートリッジ収容室６１のうち、４つのカートリッジ４Ｃ，４Ｍ，４Ｙ，４Ｋのうちの１つを収容する部分をそれぞれ、スロットとも呼ぶ。具体的には、図３に示すように、カートリッジ４Ｋを収容する部分をスロット６１Ｋと呼び、カートリッジ４Ｃを収容する部分をスロット６１Ｃと呼び、カートリッジ４Ｍを収容する部分をスロット６１Ｍと呼び、カートリッジ４Ｙを収容する部分をスロット６１Ｙと呼ぶ。
【００２０】
ホルダー６は、装置側前壁部６２と、第１装置側側壁部６３と、第２装置側側壁部６４とを備える。また、ホルダー６は、第３装置側側壁部６５と、第４装置側側壁部６６と、を備える。これらの５つの壁部６２，６３，６４，６５，６６によってカートリッジ収容室６１が区画形成されている。５つの壁部６２，６３，６４，６５，６６の外形はそれぞれ、略長方形状である。カートリッジ収容室６１において、装置側前壁部６２の反対側は、開口部６１Ａである。
【００２１】
図２及び図３に示すように、装置側前壁部６２は、カートリッジ収容室６１に対して−Ｙ方向側に位置する。装置側前壁部６２は、プリンター２０の使用状態において、垂直な壁部である。
【００２２】
図３に示すように、ホルダー６は、液体供給機構６４０を有する。液体供給機構６４０は、装置側前壁部６２に設けられている。液体供給機構６４０は、各カートリッジ４Ｃ，４Ｍ，４Ｙ，４Ｋに対応してスロット６１Ｃ，６１Ｍ，６１Ｙ，６１Ｋ毎に設けられている。
【００２３】
液体供給機構６４０は、カバー部材６５０と、液体導入部６４３とを備える。液体導入部６４３は、カートリッジ４内のインクをプリンター２０側に流通させるために利用される。液体導入部６４３は、Ｙ方向に沿って延びる中心軸を有する管状である。液体導入部６４３は、カートリッジ４に接続される。
【００２４】
カバー部材６５０は、液体導入部６４３の中心軸を中心として液体導入部６４３の周囲を取り囲む。カバー部材６５０は、カートリッジ４の着脱時に外部にインクが飛び散る可能性を低減するための部材である。カバー部材６５０は、液体供給機構６４０が備える図示しない付勢部材、例えば、コイルばね、によって＋Ｙ方向側に付勢されている。カバー部材６５０は、Ｙ方向に沿って移動可能に構成されている。カートリッジ４が装着される時には、カートリッジ４が当接されることで付勢部材の付勢力に抗してカバー部材６５０が−Ｙ方向に移動する。これによって、液体導入部６４３の＋Ｙ方向側端部がカバー部材６５０よりも＋Ｙ方向側に突出して、カートリッジ４に接続される。
【００２５】
装置側前壁部６２の上部には、端子ユニット７０が備えられている。端子ユニット７０は、各カートリッジ４Ｃ，４Ｍ，４Ｙ，４Ｋに対応してスロット６１Ｃ，６１Ｍ，６１Ｙ，６１Ｋ毎に設けられている。端子ユニット７０は、制御部２３０に電気的に接続された複数のホルダー側端子７１（図５参照）を備えている。各ホルダー側端子７１は、カートリッジ４がホルダー６に装着された際に、カートリッジ４に設けられた接触部に電気的に接触する。なお、他の実施形態では、端子ユニット７０は、装置側前壁部６２の下部に設けられていてもよい。
【００２６】
図４は、カートリッジ４の斜視図である。図５は、カートリッジ４の側面図である。カートリッジ４は、プリンター２０の記録ヘッド２２５に液体としてのインクを供給可能な液体容器である。図４および図５には、カートリッジ４をプリンター２０に装着した装着状態におけるＸ軸、Ｙ軸、Ｚ軸を付している。本実施形態では、カートリッジ４Ｃ，４Ｍ，４Ｙ，４Ｋは、いずれも同一の構造である。
【００２７】
図４に示すように、カートリッジ４は、略直方体形状の筐体の、−Ｙ方向の端部の上側の角部と下側の角部とが、斜めに切り欠かれた形状を有する。本実施形態において、カートリッジ４は、Ｙ方向、Ｚ方向、Ｘ方向の順で寸法が小さくなる。Ｘ方向をカートリッジ４の幅方向とも呼び、Ｚ方向をカートリッジ４の高さ方向とも呼び、Ｙ方向をカートリッジ４の奥行き方向とも呼ぶ。
【００２８】
図４および図５に示すように、カートリッジ４は、液体収容部７と、周囲壁８と、液体供給口９と、第１基板５１と、第２基板５２と、を備える。カートリッジ４は、円筒状の液体供給口９の中心軸ＣＸを中心に、１８０°回転させても、ホルダー６に装着可能に構成されている。以下では、第１基板５１が第２基板５２よりも上側に位置している姿勢を、カートリッジ４の第１姿勢といい、第２基板５２が第１基板５１よりも上側に位置している姿勢を、カートリッジ４の第２姿勢という。図４，５には、カートリッジ４の第１姿勢を示している。
【００２９】
液体収容部７は、内部に液体としてのインクを収容する。本実施形態において、液体収容部７は、可撓性を有する袋状のインクパックによって構成されている。
【００３０】
液体供給口９は、周囲壁８に設けられている。液体供給口９は、液体収容部７から、プリンター２０に備えられた液体導入部６４３にインクを供給可能である。液体供給口９の内部には、弁機構が配置されている。この弁機構は、液体導入部６４３が液体供給口９に接続されることによって開弁する。本実施形態では、液体供給口９の中心軸ＣＸは、カートリッジ４の装着方向であるＹ方向に沿って延びる。つまり、本実施形態では、中心軸ＣＸは、カートリッジ４がホルダー６に装着された状態で、水平面に沿う方向に延びている。
【００３１】
周囲壁８は、液体収容部７を囲む外殻を構成し、例えば、ポリプロピレンやポリスチレン等の合成樹脂を成形することで形成されている。周囲壁８は、液体供給口９が設けられた前壁４２と、後壁４７と、上壁４３と、底壁４４と、第１側壁４５と、第２側壁４６と、第１傾斜壁４８と、第２傾斜壁４９とを備える。前壁４２と後壁４７は、Ｙ方向において対向しており、前壁４２が−Ｙ方向側に、後壁４７が＋Ｙ方向側に位置する。上壁４３と底壁４４は、Ｚ方向において対向している。上壁４３が＋Ｚ方向側に、底壁４４が−Ｚ方向側に位置する。第１側壁４５と第２側壁４６は、Ｘ方向において対向している。第１側壁４５が＋Ｘ方向側に、第２側壁４６が−Ｘ方向側に位置する。第１傾斜壁４８は、前壁４２と上壁４３との間に位置する。第１傾斜壁４８は、装着方向に対して傾斜している。第１姿勢において、空間中の点から第１傾斜壁４８に下ろした垂線に沿うベクトルは、−Ｚ方向を向く成分と＋Ｙ方向を向く成分とを有する。第２傾斜壁４９は、前壁４２と底壁４４との間に位置する。第２傾斜壁４９は、装着方向に対して傾斜している。第１姿勢において、空間中の点から第２傾斜壁４９に下ろした垂線に沿うベクトルは、＋Ｚ方向を向く成分と＋Ｙ方向を向く成分とを有する。
【００３２】
第１傾斜壁４８には第１基板５１が設けられており、第２傾斜壁４９には第２基板５２が設けられている。図５に示すように、第１基板５１の裏面には、第１記憶装置８１が設けられている。第２基板５２の裏面には、第２記憶装置８２が設けられている。図４に示すように、第１基板５１の表面には、複数の第１接触部９１が配置されている。第２基板５２の表面には、複数の第２接触部９２が配置されている。第１接触部９１は、第１記憶装置８１をホルダー側端子７１に電気的に接続するための端子に含まれる領域である。第２接触部９２は、第２記憶装置８２をホルダー側端子７１に電気的に接続するための端子に含まれる領域である。
【００３３】
第１姿勢において、ホルダー側端子７１には、第１接触部９１が電気的に接続される。そのため、ホルダー側端子７１には、第１記憶装置８１が電気的に接続され、第１記憶装置８１と制御部２３０との間で各種データのやり取りが可能になる。第２姿勢において、ホルダー側端子７１には、第２接触部９２が電気的に接続される。そのため、ホルダー側端子７１には、第２記憶装置８２が電気的に接続され、第２記憶装置８２と制御部２３０との間で各種データのやり取りが可能になる。
【００３４】
図６は、第１記憶装置８１の記憶内容と第２記憶装置８２の記憶内容とを示す説明図である。第１記憶装置８１および第２記憶装置８２は、共通して、カートリッジ４の固有の情報である固有情報を記憶している。カートリッジ４の固有情報には、例えば、カートリッジ４の型番やカートリッジ４の製造日、収容されているインク量を表す情報などが含まれる。第１記憶装置８１および第２記憶装置８２は、それぞれの記憶装置を識別可能な情報を記憶している。具体的には、第１記憶装置８１は、第１記憶装置８１を識別するための第１識別情報を記憶しており、第２記憶装置８２は、第２記憶装置８２を識別するための第２識別情報を記憶している。第１識別情報および第２識別情報は、カートリッジ４の装着姿勢を表す。つまり、制御部２３０によって第１識別情報が読み出されれば、カートリッジ４の装着姿勢は第１姿勢であり、制御部２３０によって第２識別情報が読み出されれば、カートリッジ４の装着姿勢は第２姿勢であることになる。
【００３５】
第１記憶装置８１は、第１記憶領域ＳＡ１と第２記憶領域ＳＡ２とを有する。第２記憶装置８２は、第３記憶領域ＳＡ３と第４記憶領域ＳＡ４とを有する。第１記憶領域ＳＡ１および第３記憶領域ＳＡ３には、第１記憶装置８１がホルダー側端子７１に接続されてからのインクの消費量の合計値である第１合計値が記憶される。第２記憶領域ＳＡ２および第４記憶領域ＳＡ４には、第２記憶装置８２がホルダー側端子７１に接続されたからのインク消費量の合計値である第２合計値が記憶される。第１合計値と第２合計値との和が、カートリッジ４全体のインクの消費量となる。
【００３６】
図７は、本体メモリー２３２の記憶内容を示す説明図である。本体メモリー２３２には、ホルダー６に装着されているカートリッジ４から読み出した固有情報が記憶され、更に、そのカートリッジ４の第１姿勢におけるインク消費量の合計値である第１合計値と、第２姿勢におけるインク消費量の合計値である第２合計値とが記憶され、更にそれらの和が、インク総消費量として記憶される。制御部２３０は、このインク総消費量に基づき、カートリッジ４のインク残量を算出し、インク残量が基準値以下となった場合に、表示装置などに、カートリッジ４の交換を促す表示を行う。なお、図７に示した記憶内容は、カートリッジ収容室６１のスロットごとに本体メモリー２３２に記憶される。
【００３７】
図８は、カートリッジ４の装着姿勢に応じた第１記憶装置８１および第２記憶装置８２の記憶内容の遷移を示す図である。図８には、ホルダー６へのカートリッジ４の装着、インク消費、取り外しが、カートリッジ４の姿勢が反転されつつ４回行われた場合の第１記憶領域ＳＡ１〜第４記憶領域ＳＡ４の記憶内容が示されている。図８に示すように、まず、第１姿勢において新品のカートリッジ４がホルダー６に装着され、第１記憶装置８１が制御部２３０に接続された後、インクが消費されると、制御部２３０によって算出されたインク消費量が、第１合計値α１として第１記憶装置８１の第１記憶領域ＳＡ１に記録される。この第１合計値α１は、本体メモリー２３２にも記録される。
【００３８】
続いて、カートリッジ４がホルダー６から取り外されて、第２姿勢に反転され、再度、ホルダー６に装着されると、第２記憶装置８２が制御部２３０に接続される。そして、第２記憶装置８２の第３記憶領域ＳＡ３に、本体メモリー２３２に記憶された第１合計値α１がコピーされて記録される。第２姿勢においてインクが消費されると、第２姿勢におけるインク消費量が、第２合計値β１として、第２記憶装置８２の第４記憶領域ＳＡ４に記録される。この第２合計値β１は、本体メモリー２３２にも記録される。
【００３９】
更に、カートリッジ４がホルダー６から取り外されて、第１姿勢に反転され、再度、ホルダー６に装着されると、第１記憶装置８１が制御部２３０に接続される。そして、第１記憶装置８１の第２記憶領域ＳＡ２に、本体メモリー２３２に記憶された第２合計値β１がコピーされて記録される。第１姿勢においてインクが消費されると、第１姿勢に反転されてからのインク消費量を第１合計値α１に加えた第１合計値α２が、第１記憶装置８１の第１記憶領域ＳＡ１に記録される。この第１合計値α２は、本体メモリー２３２にも記録される。
【００４０】
更に、カートリッジ４がホルダー６から取り外されて、第２姿勢に反転され、再度、ホルダー６に装着されると、第２記憶装置８２が制御部２３０に接続される。そして、第２記憶装置８２の第３記憶領域ＳＡ３に、本体メモリー２３２に記憶された第１合計値α２がコピーされて記録される。第２姿勢においてインクが消費されると、第２姿勢に反転されてからのインク消費量を第２合計値β１に加えた第２合計値β２が、第２記憶装置８２の第４記憶領域ＳＡ４に記録される。この第２合計値β２は、本体メモリー２３２にも記録される。
【００４１】
このように、カートリッジ４の装着姿勢に応じて、第１記憶装置８１と第２記憶装置８２と本体メモリー２３２との記憶内容が更新されていくことにより、本体メモリー２３２において、カートリッジ４全体のインク消費量が、インク総消費量として正しく管理されることになる。以下、このような更新処理を実現するための処理内容をフローチャートに基づき説明する。
【００４２】
図９は、プリンター２０の制御部２３０によって実行されるカートリッジ確認処理のフローチャートである。この処理は、カートリッジ４がホルダー６に装着されたことを制御部２３０が検出した場合に実行される。カートリッジ４の検出は、例えば、制御部２３０が、第１記憶装置８１または第２記憶装置８２と通信可能になったか否かに応じて判定できる。この処理は、カートリッジ収容室６１のスロットごとに実行される処理である。
【００４３】
カートリッジ４がホルダー６に装着されると、制御部２３０は、ステップＳ１００において、そのカートリッジ４に備えられた記憶装置からカートリッジ４の固有情報を読み出す。そして、ステップＳ１０２において、制御部２３０は、読み出した固有情報に基づき、カートリッジ４が、前回装着されたカートリッジ４と同じカートリッジ４であるか否かを判定する。読み出した固有情報が、本体メモリー２３２に既に記録されている固有情報と異なる情報であれば、制御部２３０は、前回装着されていないカートリッジ４が装着されたと判断し、ステップＳ１０４において、読み出した固有情報を本体メモリー２３２に記録し、ステップＳ１０６において、そのカートリッジ４の記憶装置から、第１合計値および第２合計値を読み出す。カートリッジ４が新品のカートリッジであれば、第１合計値および第２合計値は共にゼロである。そして、ステップＳ１０８において、それらの値を、初期インク消費量として本体メモリー２３２に記録する。
【００４４】
ステップＳ１０２において、カートリッジ４の記憶装置から読み出した固有情報が、制御部２３０に既に記憶されている固有情報と同じ情報であれば、制御部２３０は、前回装着されたカートリッジ４と同じカートリッジ４が装着されたと判断し、ステップＳ１１０において、カートリッジ４の記憶装置から、識別情報を読み出す。そして、ステップＳ１１２において、その識別情報に基づき、制御部２３０に接続されている記憶装置が第１記憶装置８１であるか否かを判定する。
【００４５】
ステップＳ１１２において、制御部２３０に接続されている記憶装置が第１記憶装置８１であると判定された場合には、カートリッジ４の装着姿勢は、第１姿勢となる。この場合、制御部２３０は、ステップＳ１１４において、第１記憶装置８１の第１記憶領域ＳＡ１から、第１合計値を読み出し、ステップＳ１１６において、その第１合計値を本体メモリー２３２に記録する。そして、更に、制御部２３０は、ステップＳ１１８において、本体メモリー２３２に記録されている第２姿勢における第２合計値を、第１記憶装置８１の第２記憶領域ＳＡ２に書き込む。
【００４６】
ステップＳ１１２において、制御部２３０に接続されている記憶装置が第１記憶装置８１ではない、すなわち、第２記憶装置８２であると判定された場合には、カートリッジ４の装着姿勢は、第２姿勢となる。この場合、制御部２３０は、ステップＳ１２０において、第２記憶装置８２の第４記憶領域ＳＡ４から、第２姿勢におけるインク消費量である第２合計値を読み出し、ステップＳ１２２において、その第２合計値を本体メモリー２３２に記録する。そして、更に、制御部２３０は、ステップＳ１２４において、本体メモリー２３２に記録されている第１姿勢におけるインク消費量である第１合計値を、第２記憶装置８２の第３記憶領域ＳＡ３に書き込む。
【００４７】
以上で説明したカートリッジ確認処理によれば、ホルダー６にカートリッジ４が装着された際に、カートリッジ４の記憶装置に記憶された第１合計値または第２合計値に基づき、本体メモリー２３２の記憶内容を更新することができる。また、本体メモリー２３２に記憶されたインク消費量、すなわち、前回の装着姿勢において消費されたインクの合計値を、カートリッジ４の記憶装置に対してコピーすることができる。
【００４８】
図１０は、プリンター２０の制御部２３０によって実行されるインク消費量更新処理のフローチャートである。この処理は、例えば、プリンター２０において印刷ジョブが完了したタイミングや、電源がオフにされるタイミング等に実行される。
【００４９】
ステップＳ２００において、制御部２３０は、前回のインク消費量更新処理から今回のインク消費量更新処理までに消費されたインク量を算出する。そして、制御部２３０は、ステップＳ２０２において、現在、ホルダー６に装着されているカートリッジ４の記憶装置から識別情報を読み出し、ステップＳ２０４において、その識別情報に基づき、現在、制御部２３０と通信可能な記憶装置が第１記憶装置８１であるか否かを判定する。
【００５０】
制御部２３０に接続されている記憶装置が第１記憶装置８１である場合、制御部２３０は、ステップＳ２０６において、本体メモリー２３２に記憶されている第１合計値に、ステップＳ２００で算出したインク消費量を加算し、本体メモリー２３２内の第１合計値を更新する。更に、制御部２３０は、ステップＳ２０８において、第１記憶装置８１の第１記憶領域ＳＡ１に記録されている第１合計値に、ステップＳ２００で算出したインク消費量を加算し、第１記憶装置８１内の第１合計値を更新する。
【００５１】
制御部２３０に接続されている記憶装置が、第２記憶装置８２である場合、制御部２３０は、ステップＳ２１０において、本体メモリー２３２に記憶されている第２合計値に、ステップＳ２００で算出したインク消費量を加算し、本体メモリー２３２内の第２合計値を更新する。更に、制御部２３０は、ステップＳ２１２において、第２記憶装置８２の第４記憶領域ＳＡ４に記録されている第２合計値に、ステップＳ２００で算出したインク消費量を加算し、第２記憶装置８２内の第２合計値を更新する。
【００５２】
以上で説明したインク消費量更新処理によれば、ホルダー６に装着されたカートリッジ４の第１記憶装置８１または第２記憶装置８２、並びに、本体メモリー２３２に記憶されたインク消費量の合計値の値を、適切に更新することができる。なお、当該インク消費量更新処理に先立って、図９に示したカートリッジ確認処理が実行される場合、ステップＳ２０２における識別情報の読み出しは省略してもよい。図９に示したステップＳ１１０において、既に識別情報が読み出されているためである。
【００５３】
以上で説明した本実施形態の液体噴射システム１０によれば、カートリッジ４を、液体供給口９の中心軸ＣＸを中心に１８０°回転させてホルダー６に装着しても、第１記憶装置８１または第２記憶装置８２のいずれかがホルダー側端子７１と接続される。そして、インク量に関する情報として、カートリッジ４の装着姿勢毎のインク消費量の合計値を表す第１合計値および第２合計値が、第１記憶装置８１と第２記憶装置８２のそれぞれに記憶されるので、ホルダー６に対してカートリッジ４が反転されて装着された場合でも、液体収容部７内のインクの残量を正しく把握できる。また、本実施形態では、本体メモリー２３２だけではなく、第１記憶装置８１と第２記憶装置８２のそれぞれに第１合計値および第２合計値が記憶されるので、カートリッジ４が、他のプリンターに装着された場合でも、他のプリンターにおいて、カートリッジ４内のインク量を正しく把握できる。
【００５４】
また、本実施形態では、液体供給口９の中心軸ＣＸは、カートリッジ４がホルダー６に装着された状態で、水平面に沿う方向に延びているので、その中心軸ＣＸを中心に、カートリッジ４を１８０°回転させれば、液体収容部７内のインクを効率的に攪拌できる。従って、印刷品質を向上できる。特に、比較的色材が沈降し易い顔料インクや分散染料インクがカートリッジ４に収容されている場合に、このような構成は効果的である。また、本実施形態では、カートリッジ４内のインクが消費し切れていない状態でカートリッジ４が反転されて装着された場合であっても、図９に示したカートリッジ確認処理が実行されることで、適切に、各姿勢におけるインク消費量の合計値を管理できる。そのため、ユーザーは、任意のタイミングでインクを攪拌できる。
【００５５】
また、本実施形態では、第１記憶装置８１は、第１姿勢におけるインク消費量の合計値である第１合計値が記録される第１記憶領域ＳＡ１と、第２姿勢におけるインク消費量の合計値である第２合計値が記憶される第２記憶領域ＳＡ２とを含んでいる。そして、第２記憶装置８２も同様に、第１姿勢における第１合計値が記録される第３記憶領域ＳＡ３と、第２姿勢における第２合計値が記憶される第４記憶領域ＳＡ４とを含んでいる。そのため、第１記憶装置８１と第２記憶装置８２とに対して、それぞれ、第１合計値と第２合計値とを記録することができる。従って、ホルダー６に対するカートリッジ４の装着姿勢が反転された場合でも、液体収容部７内の液体の残量を正しく把握できる。
【００５６】
また、本実施形態では、第１記憶装置８１がホルダー側端子７１に接続された状態で第１記憶領域ＳＡ１に第１合計値が記憶された後、装着姿勢の反転により第２記憶装置８２がホルダー側端子７１に接続されると、第１合計値は第２記憶装置８２の第３記憶領域ＳＡ３にも記憶される。そして、第２記憶装置８２がホルダー側端子７１に接続された状態で第４記憶領域ＳＡ４に第２合計値が記憶された後、装着姿勢の反転により第１記憶装置８１がホルダー側端子７１に接続されると、第２合計値は第１記憶装置８１の第２記憶領域ＳＡ２にも記憶される。従って、カートリッジ４が反転されて再装着されても、液体収容部内のインク量を正しく把握できる。
【００５７】
また、本実施形態では、インク消費量の第１合計値と第２合計値とは、プリンター２０においてそれぞれ計算され、ホルダー側端子７１を通じて第１記憶装置８１および第２記憶装置８２に書き込まれる。そのため、カートリッジ４にインク量を測定するためのセンサー等の構成が不要である。従って、カートリッジ４の構成を簡略化できる。
【００５８】
また、本実施形態では、第１記憶装置８１は、第１記憶装置８１を識別するための第１識別情報を記憶し、第２記憶装置８２は、第２記憶装置８２を識別するための第２識別情報を記憶しているので、プリンター２０側で、カートリッジ４の装着姿勢を容易に判定できる。
【００５９】
また、本実施形態では、第１記憶装置８１および第２記憶装置８２は、それぞれ、カートリッジ４に固有の固有情報を共通して記憶しているので、カートリッジ４の装着姿勢にかかわらず、プリンター２０側で正しくカートリッジ４を識別できる。
【００６０】
Ｂ．他の実施形態：
（Ｂ−１）上記実施形態では、第１接触部９１および第２接触部９２が、カートリッジ４の第１傾斜壁４８および第２傾斜壁４９に備えられている。しかし、第１接触部９１および第２接触部９２が設けられる位置は、このような位置に限られない。液体供給口９の中心軸ＣＸを中心として１８０°回転させたときに、同一の位置に第１接触部９１および第２接触部９２が位置するのであれば、例えば、図１１から図１６に示すような位置に第１接触部９１および第２接触部９２が設けられていてもよい。図１１〜１６には、略直方体のカートリッジ４ａ〜４ｆの前面および側面を示しており、第１接触部９１が備えられた第１基板５１および第２接触部９２が備えられた第２基板５２の位置を、ハッチングを付して示している。
【００６１】
図１１に示した例では、カートリッジ４ａの前壁４２において、液体供給口９を挟む位置で、かつ、Ｚ方向に並ぶ位置に、第１基板５１および第２基板５２が設けられている。
【００６２】
図１２に示した例では、カートリッジ４ｂの前壁４２において、液体供給口９を中心として点対称となる位置に第１基板５１および第２基板５２が設けられている。
【００６３】
図１３に示した例では、カートリッジ４ｃの上壁４３に第１基板５１が設けられ、底壁４４に第２基板５２が設けられている。そして、これらの基板は、上面からみた場合に同じ位置となるように上壁４３および底壁４４に設けられている。
【００６４】
図１４に示した例では、カートリッジ４ｄの上壁４３に第１基板５１が設けられ、底壁４４に第２基板５２が設けられている。そして、これらの基板は、それぞれ、前壁４２からの距離が等しい。また、前壁４２側から見たときに、これらの基板は、液体供給口９を中心として点対称となる位置に設けられている。
【００６５】
図１５に示した例では、カートリッジ４ｅの第１側壁４５に第１基板５１が設けられ、第２側壁４６に第２基板５２が設けられている。そして、これらの基板は、一方の側面から見た場合に同じ位置となるように、第１側壁４５および第２側壁４６に設けられている。
【００６６】
図１６に示した例では、カートリッジ４ｆの第１側壁４５に第１基板５１が設けられ、第２側壁４６に第２基板５２が設けられている。そして、これらの基板は、それぞれ、前壁４２からの距離は等しい。また、前壁４２側から見たときに、これらの基板は、液体供給口９を中心として点対称となる位置に設けられている。
【００６７】
（Ｂ−２）上記実施形態では、第１接触部９１および第２接触部９２は、それぞれ基板に備えられている。これに対して、第１接触部９１および第２接触部９２は、周囲壁８に直接的に設けられていてもよい。
【００６８】
（Ｂ−３）上記実施形態では、第１記憶装置８１および第２記憶装置８２は、それぞれ基板の裏面に備えられている。これに対して、第１記憶装置８１および第２記憶装置８２は、基板の裏面以外の位置に設けられていてもよく、例えば、周囲壁８の内部あるいは外部に設けられていてもよい。
【００６９】
（Ｂ−４）上記実施形態では、液体供給口９の中心軸ＣＸは、水平面に沿う方向に延びている。これに対して、液体供給口９の中心軸ＣＸは、他の方向に延びてもよい。例えば、中心軸ＣＸは、鉛直方向に沿う方向や、水平面から傾斜した方向に延びてもよい。
【００７０】
（Ｂ−５）上記実施形態では、本体メモリー２３２にも第１合計値および第２合計値が記憶される。これに対して、本体メモリー２３２には、これらの値は記憶されなくてもよい。また、第１記憶装置８１には、第１姿勢におけるインク消費量である第１合計値のみが記憶されてもよいし、第２記憶装置８２には、第２姿勢におけるインク消費量である第２合計値のみが記憶されてもよい。
【００７１】
（Ｂ−６）上記実施形態では、第１記憶装置８１や第２記憶装置８２には、カートリッジ４の固有情報や、第１識別情報、第２識別情報が記憶される。そかし、これらの情報が記憶されることは必須ではなく、第１記憶装置８１や第２記憶装置８２は、これらの情報を記憶していなくてもよい。
【００７２】
（Ｂ−７）上記実施形態では、プリンター２０の本体ケース２１２に配置されたホルダー６に対して、カートリッジ４が装着される。これに対して、例えば、キャリッジ２１５上に設けられたホルダーに対して、カートリッジ４が装着されてもよい。つまり、上記実施形態のようなオフキャリッジタイプのプリンター２０に限らず、オンキャリッジタイプのプリンター２０に対しても、本開示は適用可能である。
【００７３】
（Ｂ−８）上記実施形態では、カートリッジ４は、液体収容部７としてインクパックを備えている。これに対して、カートリッジ４は、周囲壁８の内部に区画形成された部屋を液体収容部７として備えていてもよい。
【００７４】
（Ｂ−９）上記実施形態では、プリンター２０には、４種類のカートリッジ４が装着される。これに対して、プリンター２０は、１〜３種類あるいは５種類以上のカートリッジ４が装着可能に構成されてもよい。
【００７５】
（Ｂ−１０）上記実施形態では、第１記憶装置８１と第２記憶装置８２とに、液体の量に関する情報として、カートリッジ４の装着姿勢に応じたインク消費量を表す第１合計値と第２合計値とが記憶される。これに代えて、あるいはこれに加えて、第１記憶装置８１と第２記憶装置８２とには、カートリッジ４内のインクの残量を示す情報が記憶されてもよい。
【００７６】
（Ｂ−１１）本開示は、プリンター２０及びそのカートリッジ４に限らず、インク以外の他の液体を消費する任意の液体噴射装置及びそれらの液体噴射装置に用いられる液体容器にも適用することができる。例えば、以下のような各種の液体噴射装置に用いられる液体容器として本開示は適用可能である。
（１）ファクシミリ装置等の画像記録装置。
（２）液晶ディスプレイ等の画像表示装置用のカラーフィルターの製造に用いられる色材噴射装置。
（３）有機ＥＬ（Electro Luminescence）ディスプレイや、面発光ディスプレイ（Field Emission Display、ＦＥＤ）等の電極形成に用いられる電極材噴射装置。
（４）バイオチップ製造に用いられる生体有機物を含む液体を噴射する液体噴射装置。
（５）精密ピペットとしての試料噴射装置。
（６）潤滑油の噴射装置。
（７）樹脂液の噴射装置。
（８）時計やカメラ等の精密機械にピンポイントで潤滑油を噴射する液体噴射装置。
（９）光通信素子等に用いられる微小半球レンズ（光学レンズ）などを形成するために紫外線硬化樹脂液等の透明樹脂液を基板上に噴射する液体噴射装置。
（１０）基板などをエッチングするために酸性又はアルカリ性のエッチング液を噴射する液体噴射装置。
（１１）他の任意の微小量の液滴を吐出させる液体消費ヘッドを備える液体噴射装置。
【００７７】
なお、「液滴」とは、液体噴射装置から吐出される液体の状態をいい、粒状、涙状、糸状に尾を引くものも含むものとする。また、ここでいう「液体」とは、液体噴射装置が消費できるような材料であればよい。例えば、「液体」は、物質が液相であるときの状態の材料であれば良く、粘性の高い又は低い液状態の材料、及び、ゾル、ゲル水、その他の無機溶剤、有機溶剤、溶液、液状樹脂、液状金属（金属融液）のような液状態の材料も「液体」に含まれる。また、物質の一状態としての液体のみならず、顔料や金属粒子などの固形物からなる機能材料の粒子が溶媒に溶解、分散または混合されたものなども「液体」に含まれる。また、液体の代表的な例としては上記実施形態で説明したようなインクや液晶等が挙げられる。ここで、インクとは一般的な水性インクおよび油性インク並びにジェルインク、ホットメルトインク等の各種の液体状組成物を包含するものとする。
【００７８】
Ｃ．他の形態：
本開示は、上述の実施形態に限られるものではなく、その趣旨を逸脱しない範囲において種々の構成で実現することができる。例えば、以下に記載する各形態中の技術的特徴に対応する実施形態の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【００７９】
（１）本開示の第１の形態によれば、ホルダーと、液体導入部と、ホルダー側端子と、を備える液体噴射装置の前記ホルダーに着脱可能に装着される液体容器が提供される。この液体容器は、液体を収容する液体収容部と、前記液体収容部を囲む周囲壁と、前記周囲壁に設けられ、前記液体収容部から前記液体導入部に前記液体を供給可能な液体供給口と、前記ホルダー側端子に、第１接触部を介して電気的に接続可能な第１記憶装置と、前記ホルダー側端子に、第２接触部を介して電気的に接続可能な第２記憶装置と、を備え、前記第１接触部と前記第２接触部とは、前記液体供給口の中心軸を挟んで互いに対称となる位置に前記周囲壁に設けられ、前記液体容器を、前記中心軸を中心に１８０°回転させて前記ホルダーに装着しても、前記第１接触部または前記第２接触部のいずれかが前記ホルダー側端子と接続され、前記液体の量に関する情報が、前記第１記憶装置と前記第２記憶装置とのそれぞれに記憶されることを特徴とする。
このような形態によれば、液体噴射装置のホルダーに対して液体容器が反転されて装着された場合でも、ホルダー側端子に接続される第１記憶装置と第２記憶装置とには、液体の量に関する情報がそれぞれ記憶されているので、液体収容部内の液体量を正しく把握できる。
【００８０】
（２）上記形態の液体容器において、前記中心軸は、前記液体容器が前記ホルダーに装着された状態で、水平面に沿う方向に延びてもよい。このような形態によれば、水平面に沿った中心軸を中心として液体容器を回転させることができるので、液体収容部内の液体を効率的に攪拌できる。
【００８１】
（３）上記形態の液体容器において、前記第１記憶装置は、前記第１記憶装置が前記ホルダー側端子に接続されてからの液体消費量の合計値である第１合計値を記憶する第１記憶領域と、前記第２記憶装置が前記ホルダー側端子に接続されてからの液体消費量の合計値である第２合計値を記憶する第２記憶領域と、を含み、前記第２記憶装置は、前記第１合計値を記憶する第３記憶領域と、前記第２合計値を記憶する第４記憶領域と、を含んでもよい。このような形態であれば、第１記憶装置と第２記憶装置とに対して、それぞれ、第１合計値と第２合計値とが記憶されるため、液体容器の装着姿勢が反転された場合でも、液体収容部内の液体の残量を正しく把握できる。
【００８２】
（４）上記形態の液体容器において、前記第１記憶装置が前記ホルダー側端子に接続された状態で前記第１記憶領域に前記第１合計値が記憶された後、前記回転により前記第２記憶装置が前記ホルダー側端子に接続されると、前記第１合計値は前記第２記憶装置の前記第３記憶領域に記憶され、前記第２記憶装置が前記ホルダー側端子に接続された状態で前記第４記憶領域に前記第２合計値が記憶された後、前記回転により前記第１記憶装置が前記ホルダー側端子に接続されると、前記第２合計値は前記第１記憶装置の前記第２記憶領域に記憶されてもよい。このような形態であれば、液体容器が反転されて再装着されても、液体収容部内の液体の残量を正しく把握できる。
【００８３】
（５）上記形態の液体容器において、前記第１合計値と前記第２合計値とは、前記液体噴射装置によってそれぞれ計算され、前記ホルダー側端子を通じて前記第１記憶装置および前記第２記憶装置に書き込まれてもよい。このような形態であれば、液体噴射装置側で液体消費量を計算できるので、液体容器の構成を簡略化できる。
【００８４】
（６）上記形態の液体容器において、前記第１記憶装置は、前記第１記憶装置を識別するための第１識別情報を記憶し、前記第２記憶装置は、前記第２記憶装置を識別するための第２識別情報を記憶してもよい。このような形態であれば、液体噴射装置側で、液体容器の装着姿勢を容易に判定できる。
【００８５】
（７）上記形態の液体容器において、前記第１記憶装置および前記第２記憶装置は、それぞれ、前記液体容器に固有の固有情報を記憶してもよい。このような形態であれば、液体容器の装着姿勢にかかわらず、液体噴射装置側で正しく液体容器を識別できる。
【００８６】
（８）本開示の第２の形態によれば、液体噴射システムが提供される。この液体噴射システムは、液体噴射ヘッドと、前記液体噴射ヘッドに液体を供給する、上記いずれかの形態の液体容器と、を備える。このような形態によれば、液体噴射装置のホルダーに対して液体容器が反転されて装着された場合でも、ホルダー側端子に接続される第１記憶装置と第２記憶装置とには、液体の量に関する情報がそれぞれ記憶されているので、液体収容部内の液体量を正しく把握できる。
【００８７】
本開示は、上述した液体容器や液体噴射システムとしての形態に限らず、液体噴射装置や、液体消費量の管理方法などの種々の形態として実現可能である。
【符号の説明】
【００８８】
４…カートリッジ、６…ホルダー、７…液体収容部、８…周囲壁、９…液体供給口、１０…液体噴射システム、２０…プリンター、４２…前壁、４３…上壁、４４…底壁、４５…第１側壁、４６…第２側壁、４７…後壁、４８…第１傾斜壁、４９…第２傾斜壁、５１…第１基板、５２…第２基板、６１…カートリッジ収容室、６１Ａ…開口部、６２…装置側前壁部、６３…第１装置側側壁部、６４…第２装置側側壁部、６５…第３装置側側壁部、６６…第４装置側側壁部、７０…端子ユニット、７１…ホルダー側端子、８１…第１記憶装置、８２…第２記憶装置、９１…第１接触部、９２…第２接触部、２１２…本体ケース、２１３…プラテン、２１４…ガイド軸、２１５…キャリッジ、２１６…駆動プーリー、２１７…従動プーリー、２１８…キャリッジモーター、２１９…タイミングベルト、２２３…液体流通路、２２４…バルブユニット、２２５…記録ヘッド、２３０…制御部、２３２…本体メモリー、６４０…液体供給機構、６４３…液体導入部、６５０…カバー部材
【図１】
2020151894.tif 000003
【図２】
2020151894.tif 000004
【図３】
2020151894.tif 000005
【図４】
2020151894.tif 000006
【図５】
2020151894.tif 000007
【図６】
2020151894.tif 000008
【図７】
2020151894.tif 000009
【図８】
2020151894.tif 000010
【図９】
2020151894.tif 000011
【図１０】
2020151894.tif 000012
【図１１】
2020151894.tif 000013
【図１２】
2020151894.tif 000014
【図１３】
2020151894.tif 000015
【図１４】
2020151894.tif 000016
【図１５】
2020151894.tif 000017
【図１６】
2020151894.tif 000018